(57)【要約】【課題】録画時、周囲温度や装置内の温度が高くなった場合に、ディスク記録媒体上へのデータの書込み位置を制御することにより、データの圧縮率を変更することなく、記録を継続することができるディスク記録装置を提供する。【解決手段】録画時、装置の温度変化を検出する温度センサと、温度センサの出力に応じてディスク記録媒体における未記録部分うち、内周側へ記録するか外周側へ記録するかを切り替えることにより、間欠記録における記録停止期間を制御し、装置内温度の急激な上昇を抑制し、データの圧縮率を変更することなく、記録を継続することができるディスク記録装置を提供することができる。【選択図】図５
2007157217.tif 000002
【特許請求の範囲】
【請求項１】
ディスク媒体と、
前記ディスク媒体へのデータ記録を行うディスク制御部と、
前記ディスク媒体への記録データを生成するエンコード部と、
前記エンコード部が生成した記録データを保存し、前記ディスク記録制御部に出力するバッファメモリと、
ディスクドライブの温度を検出する温度検出部と、
前記ディスク媒体への記録位置を制御する記録開始位置制御部とを備え、
前記記録開始位置制御部は、前記温度検出部で検出した温度に応じて、前記ディスク媒体の未記録部分のうち、内周側へ記録するか外周側へ記録するかを判断することを特徴とするディスク記録装置。
【請求項２】
前記記録開始位置制御部は、前記温度検出部により定期的に温度を検出しながら、温度が第一の閾値を越えると、前記ディスク記録媒体における未記録部分のうち外周側へ記録し、前記第一の閾値より低い第二の閾値まで低下すると、前記ディスク記録媒体における未記録部分のうち内周側へ記録するように制御することを特徴とする請求項１に記載のディスク記録装置。
【請求項３】
前記記録開始位置制御部は、前記温度検出部により定期的に温度を検出しながら、常に、現段階までの第一の温度上昇率と、現段階から動作目標温度に達するまでの第二の温度上昇率を算出し、第二の温度上昇率と第一の温度上昇率とを減算した値が、０以上の場合には、前記ディスク記録媒体における未記録部分のうちディスク内周に記録し、０未満の場合には前記ディスク記録媒体における未記録部分のうちディスク外周に記録するように制御することを特徴とする請求項１に記載のディスク記録装置。
【発明の詳細な説明】
【技術分野】
【０００１】
本発明は記録装置に関し、特にディスク記録媒体への記録に際して、装置の温度上昇を抑制する技術に関するものである。
【背景技術】
【０００２】
リアルタイムに入力される映像信号を圧縮しながら記録媒体にデジタル記録する記録装置は、圧縮されたデータをバッファメモリ上に一旦蓄積し、所定のデータ量が蓄積された段階で記録媒体に高速にデータを書き出すことにより、周期的に記録期間と記録停止期間を繰り返す間欠記録を実現することができる。
【０００３】
しかしながらバッファメモリ上に蓄積されるデータの増加速度と、記録媒体へのデータ書き出し速度との間に差が少ない場合、この間欠記録が効率よく動作しなくなり、連続的な記録状態になるため、装置全体の温度上昇が問題となる。
【０００４】
そこで、ディスク記録装置の温度が所定の範囲を超えると一時的にデータの圧縮率を上げ、バッファメモリ上に蓄積されるデータの増加速度を下げることによって、間欠動作を行えるようにして、装置の省電力モードにより温度上昇を抑える方法が提案されている。（例えば、特許文献１参照。）
【特許文献１】特開２００３−２８１７３３号公報
【発明の開示】
【発明が解決しようとする課題】
【０００５】
しかしながら、前記従来技術では、装置内温度が高い場合は、データの圧縮率を上げて記録するため、画質が劣化してしまうという課題を有していた。
【０００６】
本発明では、従来の課題を解決するもので、装置内の温度によって、ディスク記録媒体上へのデータの書込み位置を制御することにより、間欠記録における記録停止期間を制御し、装置内温度の急激な上昇を抑制し、データの圧縮率を変更することなく、記録を継続することができるディスク記録装置を提供することを目的とする。
【課題を解決するための手段】
【０００７】
前記従来の課題を解決するために、本発明のディスク記録装置は、ディスク媒体と、
前記ディスク媒体へのデータ記録を行うディスク制御部と、前記ディスク媒体への記録データを生成するエンコード部と、前記エンコード部が生成した記録データを保存し、前記ディスク記録制御部に出力するバッファメモリと、ディスクドライブの温度を検出する温度検出部と、前記ディスク媒体への記録位置を制御する記録開始位置制御部とを備え、前記記録開始位置制御部は、前記温度検出部で検出した温度に応じて、前記ディスク媒体の未記録部分のうち、内周側へ記録するか外周側へ記録するかを判断することを特徴とするものである。
【０００８】
さらに、前記記録開始位置制御部は、前記温度検出部により定期的に温度を検出しながら、温度が第一の閾値を越えると、前記ディスク記録媒体における未記録部分のうち外周側へ記録し、前記第一の閾値より低い第二の閾値まで低下すると、前記ディスク記録媒体における未記録部分のうち内周側へ記録するように制御することを特徴とするものである。
【０００９】
さらに、前記記録開始位置制御部は、前記温度検出部により定期的に温度を検出しながら、常に、現段階までの第一の温度上昇率と、現段階から動作目標温度に達するまでの第二の温度上昇率を算出し、第二の温度上昇率と第一の温度上昇率とを減算した値が、０以上の場合には、前記ディスク記録媒体における未記録部分のうちディスク内周に記録し、０未満の場合には前記ディスク記録媒体における未記録部分のうちディスク外周に記録するように制御することを特徴とするものである。
【発明の効果】
【００１０】
本発明のディスク記録装置によれば、装置内の温度によって、ディスク記録媒体上へのデータの書込み位置を制御することにより、間欠記録における記録停止期間を制御し、装置内温度の急激な上昇を抑制し、データの圧縮率を変更することなく、記録を継続することができる。
【発明を実施するための最良の形態】
【００１１】
以下に、本発明のディスク記録装置の実施の形態を図面とともに詳細に説明する。
【実施例１】
【００１２】
図１は、本発明の実施例１におけるディスク記録装置のブロック図を示すものである。図１において、コントローラ１０５は、録画ビットレート設定部１０６と、録画開始／停止制御部１０７と、記録開始位置制御部１０８と、バッファメモリ使用量検出部１０９と、温度検出部１１０と、データ転送制御部１１１とを備えている。また、ディスクドライブ１１２は、温度センサ１１３と、ディスク１１４と、ディスク制御部１１５と、省電力制御部１１６を備えている。なお、コントローラ１０５は、録画開始／停止入力部１０１からの操作入力に基づいて録画開始動作または録画停止動作をするようになっている。
【００１３】
録画開始／停止入力部１０１からの録画開始指示を受けると、映像入力部１０２および音声入力部１０３から入力された映像／音声を、録画ビットレート設定部１０６で予め設定された録画ビットレートで、映像／音声エンコード部１０４を動作させることによって、ＭＰＥＧ方式で圧縮エンコードを開始させる。映像／音声エンコード部１０４からは、映像／音声が混在したデータストリームの１転送単位として扱われるＶＯＢＵ（Ｖｉｄｅｏ  Ｏｂｊｅｃｔ  Ｕｎｉｔ）単位でエンコードされたデータが連続してバッファメモリ１１７に転送される。
【００１４】
バッファメモリ使用量検出部１０９は、バッファメモリ１１７に蓄積されているエンコードデータ量を検出し、バッファメモリ１１７に蓄積されているエンコードデータ量が予め設定されているディスクへの記録開始閾値を超えたことを検出すると、データ転送制御部１１１は、バッファメモリ１１７内に蓄積されているエンコードデータから、ディスクドライブ１１２へデータの転送開始を指示する。このとき、ディスク制御部１１５は、省電力制御部１１６によって、省電力モードを解除し、ディスク１１４への記録を開始する。
【００１５】
バッファメモリ使用量検出部１０９が、バッファメモリ１１７に蓄積されているエンコードデータ量が、予め設定されているディスクへの記録停止閾値以下になったことを検出すると、データ転送制御部１１１は、ディスク制御部１１５への記録停止を指示する。ディスク制御部１１５は、データ転送制御部１１１より最終転送されたエンコードデータの記録完了後、省電力制御部１１６によって、ディスクドライブ１１２を、省電力モードに設定する。このように間欠記録を行うことによって、記録停止期間の消費電力を低減することができ、消費電力が低減することによって、装置の温度上昇を低減する効果がある。
【００１６】
図３は、本発明における、ディスク１１４上へのデータ記録方法を示している。ディスク１１４の記録領域を転送速度の近似した（ｎ＋１）個のゾーンに分割する。本発明におけるディスクドライブ１１２は、ＣＡＶ（Ｃｏｎｓｔａｎｔ  Ａｎｇｕｌａｒ  Ｖｅｌｏｃｉｔｙ）に代表される角速度一定方式の記録方式で動作するため、図４に示すように、ディスク内周側ほどデータ転送速度が遅く、ディスク外周側ほどデータ転送速度が速くなる。すなわち、同一サイズのデータを記録した場合、内周部に記録する場合に比べて、外周部に記録した場合のほうが、記録が早く完了し記録停止期間を長く取ることができ、装置の温度上昇を低減させることができる。
【００１７】
ここで、ディスク１１４へのデータ記録時、記録開始位置制御部１０８により指定されるディスク１１４上のデータ記録開始位置の決定方法について説明するとともに、本発明の実施例１におけるエンコードデータのディスク１１４への書き込み制御処理について図５を用いて説明する。
【００１８】
記録開始時は、ディスク１１４上の未記録部分のうち最内周部分から記録を開始する。ディスク１１４上の最内周部分へ録画中に、温度センサ１１３によって取得され、温度検出部１１０によって検出された温度が、あらかじめ決められた所定の温度閾値１以上であることを検出すると、処理ステップＳ４０１にて判別し、記録開始位置制御部１０８において、ディスク１１４上の未記録部分のうち最外周にあるゾーンへ記録を行うことを決定し、データ転送制御部１１１に対して指示を行うことによって、ディスク１１４上の外周部分への記録に切り替える。また、ディスク１１４上の外周部分への記録中に、温度検出部１１０によって検出された温度が、あらかじめ決められた所定の温度閾値２以下であることを検出すると、処理ステップＳ４０３にて判別し、記録開始位置制御部１０８において、ディスク１１４上の未記録部分のうち最内周にあるゾーンへ記録を行うことを決定し、データ転送制御部１１１に対して指示を行うことによって、ディスク１１４上の内周部分への記録に切り替える。
【００１９】
以上の動作により、周囲温度や装置内の温度が高くなった場合に、ディスクへの記録が早く完了するディスク外周部に記録することによって、間欠記録における記録停止期間を長く取ることができる。これにより、図７に示すように、装置内の温度上昇を低減することが可能となり、指定された記録レートを維持しながら記録を継続できる、ディスク記録装置を提供することができる。
【実施例２】
【００２０】
図２は、本発明の実施例２におけるディスク記録装置のブロック図を示すものであり、実施例１の構成に加えて、コントローラ１０５は、動作目標温度設定部１１８を備えている。実施例１と同じ構成をとる部分については、同じ符号を付して説明を省略する。本発明の実施例２におけるデータ記録開始位置の決定方法を、図６に沿って説明する。
【００２１】
記録開始時は、ディスク上の未記録部分のうち最内周部分から記録を開始する。録画中は、所定の間隔ｔで装置内の温度を検出するものとする。温度検出部１１０によって検出された温度をＴｎとし、前回検出された温度をＴｎ−１とすると、単位時間当たりの温度上昇率ａは、次式で表される。
ａ＝（Ｔｎ−Ｔｎ−１）／ｔ・・・（１）
また、動作目標温度をＴＴＧＴとすると、現在の温度から動作目標温度に達する場合の、単位時間当たりの温度上昇率ｂは、次式で表される。
ｂ＝（ＴＴＧＴ−Ｔｎ）／ｔ・・・（２）
ここで、温度上昇率ａと温度上昇率ｂを比較することによって、（ｂ−ａ）≧０である場合は、ディスク上の未記録部分のうち内周部分への記録に切り替え、（ｂ−ａ）＜０の場合は、ディスク上の未記録部分のうち外周部分への記録に切り替える。
【００２２】
以上の動作により、周囲温度や装置内の温度が高くなった場合に、ディスクへの記録が早く完了するディスク外周部に記録することによって、間欠記録における記録停止期間を長く取ることができる。これにより、図８に示すように、装置内の温度上昇を低減することが可能となり、指定された記録レートを維持しながら記録を継続できる、ディスク記録装置を提供することができる。
【産業上の利用可能性】
【００２３】
本発明にかかるディスク記録装置のデータ記録開始位置決定方法は、ディスク記録媒体への記録に際して、装置の温度上昇を抑制する効果を有し、特に、携帯型映像記録機器に適している。
【図面の簡単な説明】
【００２４】
【図１】本発明の実施例１におけるディスク記録装置のブロック図
【図２】本発明の実施例２におけるディスク記録装置のブロック図
【図３】本発明の実施例１および実施例２におけるディスク上へのデータ記録方法を表す図
【図４】本発明の実施例１および実施例２におけるディスクへの転送速度を表すグラフ
【図５】本発明の実施例１におけるデータ記録開始位置の決定方法のフローチャート
【図６】本発明の実施例２におけるデータ記録開始位置の決定方法のフローチャート
【図７】本発明の実施例１における装置内温度遷移を表すグラフ
【図８】本発明の実施例２における装置内温度遷移を表すグラフ
【符号の説明】
【００２５】
１０１  録画開始／停止入力部
１０２  映像入力部
１０３  音声入力部
１０４  映像／音声エンコード部
１０５  コントローラ
１０６  録画ビットレート設定部
１０７  録画開始／停止制御部
１０８  記録開始位置制御部
１０９  バッファメモリ使用量検出部
１１０  温度検出部
１１１  データ転送制御部
１１２  ディスクドライブ
１１３  温度センサ
１１４  ディスク
１１５  ディスク制御部
１１６  省電力制御部
１１７  バッファメモリ
１１８  動作目標温度設定部
【図１】
2007157217.tif 000003
【図２】
2007157217.tif 000004
【図３】
2007157217.tif 000005
【図４】
2007157217.tif 000006
【図５】
2007157217.tif 000007
【図６】
2007157217.tif 000008
【図７】
2007157217.tif 000009
【図８】
2007157217.tif 000010